(57)【要約】【課題】タスク連携処理実行中に、タスク連携処理の完遂に必要な機器の電源をオフすることができ、次に電源オンした時には自動的に中断時の状態から再開して、タスク連携処理の効率を高めることができるようにする。【解決手段】タスク連携処理システムは、タスク処理装置で電源オフ指示がなされた場合に、タスク処理装置を必要とするジョブフローが実行中か否かを判定するジョブフロー判定手段（ステップＳ９０１）を備える。また、ジョブフロー判定手段によりジョブフローが実行中と判定された場合に、ジョブフローの再開情報を保存する保存手段（ステップＳ９０５）と、ジョブフローを中断する中断手段（ステップＳ９０３）とを備える。また、中断手段によりジョブフローを中断してからタスク処理装置の電源をオフする電源オフ手段（ステップＳ８０３）を備える。【選択図】図９
2008102836.tif 000002
【特許請求の範囲】
【請求項１】
文書データに施す処理を実行可能な少なくとも１つのタスク処理装置と、文書データに施すべき一連の処理を、複数のタスクを組み合わせてジョブフローとして定義及び管理可能なジョブフロー管理装置とから構成されるタスク連携処理システムにおいて、
前記タスク処理装置で電源オフ指示がなされた場合に、前記タスク処理装置を必要とするジョブフローが実行中か否かを判定するジョブフロー判定手段と、
前記ジョブフロー判定手段により前記ジョブフローが実行中と判定された場合に、前記ジョブフローの再開情報を保存する保存手段と、
前記ジョブフローを中断する中断手段と、
前記中断手段により前記ジョブフローを中断してから前記タスク処理装置の電源をオフする電源オフ手段と、
を備えることを特徴とするタスク連携処理システム。
【請求項２】
前記タスク処理装置で電源オン指示がなされた場合に、前記タスク処理装置を必要とするジョブフローの再開情報が保存されているか否かを判定する再開情報判定手段と、
前記再開情報判定手段により前記ジョブフローの再開情報が保存されていると判定された場合に、前記ジョブフローの再開を行う再開手段と、
を備えることを特徴とする請求項１記載のタスク連携処理システム。
【請求項３】
文書データに施す処理を実行可能な少なくとも１つのタスク処理装置と、文書データに施すべき一連の処理を、複数のタスクを組み合わせてジョブフローとして定義及び管理可能なジョブフロー管理装置とから構成されるタスク連携処理システムのタスク連携処理方法において、
前記タスク処理装置で電源オフ指示がなされた場合に、前記タスク処理装置を必要とするジョブフローが実行中か否かを判定するジョブフロー判定ステップと、
前記ジョブフロー判定ステップにより前記ジョブフローが実行中と判定された場合に、前記ジョブフローの再開情報を保存する保存ステップと、
前記ジョブフローを中断する中断ステップと、
前記中断ステップにより前記ジョブフローを中断してから前記タスク処理装置の電源をオフする電源オフステップと、
を備えることを特徴とするタスク連携処理方法。
【請求項４】
前記タスク処理装置で電源オン指示がなされた場合に、前記タスク処理装置を必要とするジョブフローの再開情報が保存されているか否かを判定する再開情報判定ステップと、
前記再開情報判定ステップにより前記ジョブフローの再開情報が保存されていると判定された場合に、前記ジョブフローの再開を行う再開ステップと、
を備えることを特徴とする請求項３記載のタスク連携処理方法。
【請求項５】
文書データに施す処理を実行可能な少なくとも１つのタスク処理装置と、文書データに施すべき一連の処理を、複数のタスクを組み合わせてジョブフローとして定義及び管理可能なジョブフロー管理装置とから構成されるタスク連携処理システムのタスク連携処理プログラムにおいて、
前記タスク処理装置で電源オフ指示がなされた場合に、前記タスク処理装置を必要とするジョブフローが実行中か否かを判定するジョブフロー判定モジュールと、
前記ジョブフロー判定モジュールにより前記ジョブフローが実行中と判定された場合に、前記ジョブフローの再開情報を保存する保存モジュールと、
前記ジョブフローを中断する中断モジュールと、
前記中断モジュールにより前記ジョブフローを中断してから前記タスク処理装置の電源をオフする電源オフモジュールと、
をコンピュータに実行させることを特徴とするタスク連携処理プログラム。
【請求項６】
請求項５記載のタスク連携処理プログラムを格納するコンピュータ読み取り可能な記憶媒体。
【発明の詳細な説明】
【技術分野】
【０００１】
本発明は、タスク連携処理システム及び方法、並びにプログラム及び記憶媒体に関する。
【背景技術】
【０００２】
従来、文書データに施すべきＦＡＸ送信、スキャン及びプリント等の処理を直後もしくは並列に組み合わせてジョブフローとして設定でき、かつネットワークに接続された各機器に対して上記複数の処理を連携して処理させるタスク連携処理システムが知られている。上記タスク連携処理システムは、例えば特許文献１によって開示されている。
【０００３】
さらに、ジョブフロー実行中の障害発生に備えて、装置で処理を行う前の元データを保管して、障害が発生した場合には、保管した元データから障害が発生したタスク連携処理システムで行う処理を再開する技術が特許文献２によって開示されている。
【特許文献１】特開２００４−２８７８５９号公報
【特許文献２】特開２００４−２８８０６７号公報
【発明の開示】
【発明が解決しようとする課題】
【０００４】
しかしながら、例えば、特許文献１、２に記載されたタスク連携処理システム（ジョブフローシステム）では、ジョブフロー実行中における機器の電源オフ制御を考慮していないため、次のような問題が生ずる。
１）電源オフした機器がジョブフロー（タスク連携処理）の実行に必要な場合は、ジョブフローは完遂できずエラー終了する。
２）再開する場合は、機器を電源オンしてから再度ジョブフローの再開指示を行わなければならない。
３）所定のタイミングで保管された再開情報に基づいて再開されるため、電源オフした時点から再開されない。
【０００５】
本発明の目的は、タスク連携処理実行中に、タスク連携処理の完遂に必要な機器の電源をオフすることができ、次に電源オンした時には自動的に中断時の状態から再開して、タスク連携処理の効率を高めることができるようにすることにある。
【課題を解決するための手段】
【０００６】
上記目的を達成するために、請求項１記載のタスク連携処理システムは、文書データに施す処理を実行可能な少なくとも１つのタスク処理装置と、文書データに施すべき一連の処理を、複数のタスクを組み合わせてジョブフローとして定義及び管理可能なジョブフロー管理装置とから構成されるタスク連携処理システムにおいて、前記タスク処理装置で電源オフ指示がなされた場合に、前記タスク処理装置を必要とするジョブフローが実行中か否かを判定するジョブフロー判定手段と、前記ジョブフロー判定手段により前記ジョブフローが実行中と判定された場合に、前記ジョブフローの再開情報を保存する保存手段と、前記ジョブフローを中断する中断手段と、前記中断手段により前記ジョブフローを中断してから前記タスク処理装置の電源をオフする電源オフ手段とを備えることを特徴とする。
【０００７】
請求項３記載のタスク連携処理方法は、文書データに施す処理を実行可能な少なくとも１つのタスク処理装置と、文書データに施すべき一連の処理を、複数のタスクを組み合わせてジョブフローとして定義及び管理可能なジョブフロー管理装置とから構成されるタスク連携処理システムのタスク連携処理方法において、前記タスク処理装置で電源オフ指示がなされた場合に、前記タスク処理装置を必要とするジョブフローが実行中か否かを判定するジョブフロー判定ステップと、前記ジョブフロー判定ステップにより前記ジョブフローが実行中と判定された場合に、前記ジョブフローの再開情報を保存する保存ステップと、前記ジョブフローを中断する中断ステップと、前記中断ステップにより前記ジョブフローを中断してから前記タスク処理装置の電源をオフする電源オフステップとを備えることを特徴とする。
【０００８】
請求項５記載のタスク連携処理プログラムは、文書データに施す処理を実行可能な少なくとも１つのタスク処理装置と、文書データに施すべき一連の処理を、複数のタスクを組み合わせてジョブフローとして定義及び管理可能なジョブフロー管理装置とから構成されるタスク連携処理システムのタスク連携処理プログラムにおいて、前記タスク処理装置で電源オフ指示がなされた場合に、前記タスク処理装置を必要とするジョブフローが実行中か否かを判定するジョブフロー判定モジュールと、前記ジョブフロー判定モジュールにより前記ジョブフローが実行中と判定された場合に、前記ジョブフローの再開情報を保存する保存モジュールと、前記ジョブフローを中断する中断モジュールと、前記中断モジュールにより前記ジョブフローを中断してから前記タスク処理装置の電源をオフする電源オフモジュールとをコンピュータに実行させることを特徴とする。
【０００９】
請求項６記載のコンピュータ読み取り可能な記憶媒体は、請求項５記載のタスク連携処理プログラムを格納する。
【発明の効果】
【００１０】
本発明のタスク連携処理システムは、タスク処理装置で電源オフ指示がなされた場合に、タスク処理装置を必要とするジョブフローが実行中か否かを判定するジョブフロー判定手段を備える。また、ジョブフロー判定手段によりジョブフローが実行中と判定された場合に、ジョブフローの再開情報を保存する保存手段と、ジョブフローを中断する中断手段とを備える。また、中断手段によりジョブフローを中断してからタスク処理装置の電源をオフする電源オフ手段を備える。
【００１１】
このように、本発明のタスク連携処理システムでは、タスク処理装置を必要とするジョブフローが実行中の場合に、ジョブフローの再開情報を保存してジョブフローを中断し、タスク処理装置の電源をオフする。従って、タスク連携処理実行中に、タスク連携処理の完遂に必要な機器の電源をオフすることができ、次に電源オンした時には自動的に中断時の状態から再開して、タスク連携処理の効率を高めることができるようにすることができる。
【発明を実施するための最良の形態】
【００１２】
以下、本発明の実施の形態を図面を参照しながら詳細に説明する。
【００１３】
図１は、本発明の実施の形態に係るタスク連携処理システムの全体構成を示す図である。
【００１４】
本実施の形態のタスク連携処理システムは、印刷処理装置のさまざまなタスクを連携処理可能なシステムである。
【００１５】
本実施の形態におけるタスクとは、文書データに対して実行可能な処理のことを示しており、文書データに対して、コピー、スキャン、Ｆａｘ送信、印刷処理装置内のハードディスクへの保存、メール送信、ＯＣＲ処理、ノイズ除去処理等を施すことを指す。しかし、特に限定されるものではない。
【００１６】
また、本タスク連携処理システムでは、上記タスクを提供する印刷処理装置の他、さまざまなタスクを提供可能な複数のアプリケーションとも連携可能である。
【００１７】
本実施の形態では、上記タスクを実行可能な印刷処理装置及びアプリケーションをタスク処理装置と定義する。
【００１８】
図１において、本タスク連携処理システムは、管理サーバ１１、クライアントＰＣ１２、タスク一覧ＤＢ１３、アプリＡ１４、アプリＢ１５、印刷処理装置Ａ１６及び印刷処理装置Ｂ１７から構成され、それぞれネットワーク１８で接続されている。
【００１９】
尚、アプリケーション（アプリＡ１４、アプリＢ１５）及び印刷処理装置１６、１７の数は限定されるものではない。また、タスク一覧ＤＢ１３は、アプリケーションごとに用意する、もしくは印刷処理装置１６、１７とのタスク管理ＤＢとは別にするなど、使用方法に関しては限定しない。
【００２０】
以下、本タスク連携処理システムでは２つのアプリケーション及び２台の印刷処理装置が接続されていることを前提に説明を行う。
【００２１】
管理サーバ１１は、アプリＡ１４、アプリＢ１５、印刷処理装置Ａ１６、印刷処理装置Ｂ１７の管理を行い、各タスク処理装置の実行可能なタスク一覧をタスク一覧ＤＢ１３で管理する。
【００２２】
また、クライアントＰＣ１２は、管理サーバ１１を介し、実行可能なタスク一覧ＤＢ１３から所望のタスクを組み合わせて、ジョブフローを作成する。ジョブフローとは、複数のタスクを組み合わせて１つのジョブとして複数タスクを連続実行可能な処理の単位を示している。作成されたジョブフローは管理サーバ１１上で管理され、印刷処理装置１６、１７から実行することができる。
【００２３】
前述のタスク連携処理システムにおけるタスク処理装置（例えば、アプリＡ１４、アプリＢ１５、印刷処理装置Ａ１６、印刷処理装置Ｂ１７）、管理サーバ１１は、図２に示す構成となっている。即ち、図２に示すように、ＣＰＵ５１、ＲＯＭ５２、ＲＡＭ５３、ＨＤ５４、及びユーザインタフェース（ＵＩ）５５がバス５６に接続されたマイクロコンピュータを備えている。
【００２４】
図３は、図１のタスク連携処理システムにおいて、クライアントＰＣを介してアプリケーションの登録を行う系の動作フローを示す図である。
【００２５】
図３において、アプリＢ１５が新規追加されると、クライアントＰＣ１２は、新規追加されたアプリＢ１５のタスクインターフェイス（Ｉ／Ｆ）情報をアプリＢ１５から取得する（処理２１）。次に、クライアントＰＣ１２から管理サーバ１１に対して、取得したタスクＩ／Ｆ情報を含めたアプリ情報を登録する（処理２２）。
【００２６】
アプリ情報を受け取った管理サーバ１１は、タスク一覧ＤＢ１３へタスク情報の登録を行う（処理２３）。アプリＢ１５が実行可能なタスクの登録完了後、アプリＢ１５のタスクを含むジョブフローを作成することができる。
【００２７】
ジョブフローの作成はクライアントＰＣ１２からの指示で行い、管理サーバ１１を介してタスク一覧ＤＢ１３に登録されているタスク一覧を参照し（処理２４）、所望のタスクを組み合わせてジョブフローの作成及び登録を行う（処理２５）。
【００２８】
タスク一覧ＤＢ１３に登録されたジョブフローは管理サーバ１１上で管理される。ジョブフローの登録完了後、管理サーバ１１の管理する印刷処理装置からジョブフローを実行することができる。
【００２９】
印刷処理装置Ａ１６は、管理サーバ１１で管理されているジョブフロー一覧を参照する（処理２６）ことができ、ジョブフローの実行ユーザ２０は、印刷処理装置Ａ１６から所望のジョブフローを選択し、実行する（処理２７）。
【００３０】
ジョブフローの実行依頼を受け取った管理サーバ１１は、ジョブフロー内のタスクを実行可能なタスク処理装置へタスク実行依頼し（処理２８）、ジョブフローを実行する。
【００３１】
ジョブフロー内のタスクをどのタスク処理装置で実行するかの情報、タスク名等はタスク定義情報としてタスク一覧ＤＢ１３内で管理される。詳細は図５で説明する。
【００３２】
図４は、図１のタスク連携処理システムにおいて、クライアントＰＣを介さずにアプリケーションの登録を行う系の動作フローを示す図である。
【００３３】
図３との差異は、新規追加アプリケーションのタスクＩ／Ｆ情報の取得及びアプリケーションの登録を新規追加アプリＢ１５から直接管理サーバ１１へ登録する（処理２９）点で、その他の動作フローに関しては図３と同様である。
【００３４】
図５は、図１におけるタスク一覧ＤＢに登録されるタスク定義情報を示す図である。
【００３５】
図５において、タスク定義情報内には、タスク名、タスクを実行可能なタスク処理装置、タスクを実行する際に必要となる属性情報、タスクを実行する場合に必要となる入力データ、タスク実行後に出力される出力データ情報を保持している。タスク定義情報の記述形式に関しては特に限定しない。
【００３６】
図６は、図１のタスク連携処理システムによって実行されるジョブフローの一例を示す図である。
【００３７】
図６は、タスク１を実行後、タスク２及びタスク３を並列処理し、タスク４を実行して終了するジョブフローの例を示している。
【００３８】
図７は、図６のジョブフローを例にしたジョブフロー定義情報をＸＭＬ形式で示す図である。
【００３９】
本実施の形態では、タスクの実行順序を定義するため、ＸＭＬ内にｔａステップＳｋタグを用意し、該タスクの前に実行するタスク名、該タスクの後に実行するタスク名を記述する。また、タスク定義情報内にタスクの属性に関する情報が定義されている場合は、ｐｒｏｐｅｒｔｙタグ内に該当する情報を記述する。
【００４０】
上記定義をジョブフロー内に定義されているタスク分記述することによって、ジョブフロー定義情報が完成する。尚、ジョブフロー定義情報の記述は、タスク間の前後関係を明記できるものであれば、ＸＭＬ形式に限定するものではない。
【００４１】
タスク処理装置が電源オフされた場合に行われる処理を図８、図９、図１０のフローチャートを参照して説明する。
【００４２】
図８は、図１におけるタスク処理装置側で行われる電源オフ処理の手順を示すフローチャートである。
【００４３】
図８において、あるタスク処理装置（以下、電源オフタスク処理装置と呼ぶ）に対して電源オフ指示がユーザによりＵＩ５５からなされると、ステップＳ８０１で管理サーバ１１に電源オフ情報を送信する。
【００４４】
電源オフ情報には電源オフタスク処理装置を識別できる情報（例えばＩＰアドレス）が含まれる。そして、管理サーバ１１から電源オフ許可情報を受信したかを判定して、受信するまで待機する（ステップＳ８０２）。電源オフ許可情報を受信すると電源オフタスク処理装置の電源をオフして（ステップＳ８０３）、処理を終了する。
【００４５】
図９は、図１における管理サーバ側で行われる電源オフ処理の手順を示すフローチャートである。
【００４６】
図９において、図８のステップＳ８０１によって電源オフタスク処理装置から電源オフ情報を受信すると、まずステップＳ９０１で、電源オフタスク処理装置でのタスク処理を必要とするジョブフローが実行中であるか否かを判定する。
【００４７】
実行中でない場合は、ステップＳ９０６で電源オフ許可を電源オフタスク処理装置に送信する。ジョブフロー実行中の場合は、ステップＳ９０２で現在処理中のタスク処理装置を検索する。
【００４８】
ステップＳ９０３で、該当のタスク処理装置（以下、処理中タスク処理装置と呼ぶ）に中断指示を送信する。処理中タスク処理装置から受信があるかを判定して、受信するまで待機する（ステップＳ９０４）。
【００４９】
図１０は、図９のフローチャートにおける処理中タスク処理装置で行われる電源オフ処理の手順を示すフローチャートである。
【００５０】
図１０において、図９のステップＳ９０３によって管理サーバ１１から中断指示を受信すると、ステップＳ１００１で、現在処理中のタスクを中止する。次に、ステップＳ１００２で処理済みの中間データを保存する。例えば、文書データに対してＯＣＲ処理をするタスクの場合は解析が終えたところまでのテキスト情報を保存する。
【００５１】
次に、ステップＳ１００３でタスク再開情報を作成する。例えば、ＯＣＲ処理をするタスクの場合は、文書データの何ページの何バイト目から再開するというような情報になる。ステップＳ１００４で再開情報を管理サーバ１１に送信して、処理を終了する。
【００５２】
再び、図９において、ステップＳ９０４で受信したタスク再開情報をもとに、ステップＳ９０５でジョブフロー再開情報を作成し、保存する。ジョブフロー再開情報は、再開するタスク名とタスク再開情報からなる。そしてステップＳ９０６で電源オフ許可を電源オフタスク処理装置に送信し、処理を終了する。
【００５３】
尚、図１０のステップＳ１００２において、中間データの保管場所は処理中タスク処理装置のＨＤ５４であっても良いし、管理サーバ１１のＨＤ５４であってもよい。例えば、処理中タスク処理装置のＨＤ５４の容量が少ない場合は、管理サーバ１１のＨＤ５４に保存する。
【００５４】
また、電源オフタスク処理装置、処理中タスク処理装置は同一の装置であってもよい。処理中のタスク処理装置上のＵＩ５５から電源オフ指示された場合でも同様の処理が行われる。
【００５５】
タスク処理装置が電源オンされた場合に行われる処理を図１１、図１２のフローチャートを参照して説明する。
【００５６】
図１１は、図１におけるタスク処理装置側で行われる電源オン処理の手順を示すフローチャートである。
【００５７】
図１１において、タスク処理装置に対して電源オン指示が、ユーザによりＵＩ５５からなされると、ステップＳ１１０１で、電源オン情報を管理サーバ１１に送信する。電源オン情報には電源オフ指示されたタスク処理装置を識別できる情報（例えばＩＰアドレス）が含まれる。
【００５８】
図１２は、図１における管理サーバ側で行われる電源オン処理の手順を示すフローチャートである。
【００５９】
図１２において、図１１のステップＳ１１０１によって、タスク処理装置から電源オン情報を受信すると、まずステップＳ１２０１で、そのタスク処理装置での処理を必要とするジョブフローの再開情報が保存されているか否かを判定する。
【００６０】
ジョブフロー再開情報が保存されている場合は、ステップＳ１２０２でジョブフロー再開情報をもとに再開すべきタスク処理装置に対して再開指示を送信して、処理を終了する。
【００６１】
上記の実施の形態では、管理サーバ１１によりジョブフローを管理する形態をとっているが、この管理サーバ１１はタスク処理装置上にあってもよく、タスク処理装置側でジョブフローを管理する形態であってもよい。
【００６２】
また、本発明の目的は、実施の形態の機能を実現するソフトウェアのプログラムコードを記録した記憶媒体を、システムまたは装置に供給し、そのシステムまたは装置のコンピュータ（またはＣＰＵやＭＰＵ等）が記憶媒体に格納されたプログラムコードを読み出して実行することによっても達成される。
【００６３】
この場合、記憶媒体から読み出されたプログラムコード自体が前述した実施の形態の機能を実現することになり、そのプログラムコード及び該プログラムコードを記憶した記憶媒体は本発明を構成することになる。
【００６４】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。または、プログラムコードをネットワークを介してダウンロードしてもよい。
【００６５】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部または全部を行い、その処理によって前述した実施の形態の機能が実現される場合も含まれる。
【００６６】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施の形態の機能が実現される場合も含まれる。
【図面の簡単な説明】
【００６７】
【図１】本発明の実施の形態に係るタスク連携処理システムの全体構成を示す図である。
【図２】図１におけるタスク処理装置、管理サーバのハードウェア構成を示す図である。
【図３】図１のタスク連携処理システムにおいて、クライアントＰＣを介してアプリケーションの登録を行う系の動作フローを示す図である。
【図４】図１のタスク連携処理システムにおいて、クライアントＰＣを介さずにアプリケーションの登録を行う系の動作フローを示す図である。
【図５】図１におけるタスク一覧ＤＢに登録されるタスク定義情報を示す図である。
【図６】図１のタスク連携処理システムによって実行されるジョブフローの一例を示す図である。
【図７】図６のジョブフローを例にしたジョブフロー定義情報をＸＭＬ形式で示す図である。
【図８】図１におけるタスク処理装置側で行われる電源オフ処理の手順を示すフローチャートである。
【図９】図１における管理サーバ側で行われる電源オフ処理の手順を示すフローチャートである。
【図１０】図９のフローチャートにおける処理中タスク処理装置で行われる電源オフ処理の手順を示すフローチャートである。
【図１１】図１におけるタスク処理装置側で行われる電源オン処理の手順を示すフローチャートである。
【図１２】図１における管理サーバ側で行われる電源オン処理の手順を示すフローチャートである。
【符号の説明】
【００６８】
１１  管理サーバ
１２  クライアントＰＣ
１３  タスク一覧ＤＢ
１４  アプリＡ
１５  アプリＢ
１６  印刷処理装置Ａ
１７  印刷処理装置Ｂ
１８  ネットワーク
５１  ＣＰＵ
５２  ＲＯＭ
５３  ＲＡＭ
５４  ＨＤ
５５  ＵＩ
５６  バス
ステップＳ８０３  電源オフ手段
ステップＳ９０１  ジョブフロー判定手段
ステップＳ９０３、ステップＳ１００１  中断手段
ステップＳ９０５  保存手段
ステップＳ１２０１  再開情報判定手段
ステップＳ１２０２  再開手段
【図１】
2008102836.tif 000003
【図２】
2008102836.tif 000004
【図３】
2008102836.tif 000005
【図４】
2008102836.tif 000006
【図５】
2008102836.tif 000007
【図６】
2008102836.tif 000008
【図７】
2008102836.tif 000009
【図８】
2008102836.tif 000010
【図９】
2008102836.tif 000011
【図１０】
2008102836.tif 000012
【図１１】
2008102836.tif 000013
【図１２】
2008102836.tif 000014